(57)【要約】【課題】居住者にとって、温度設定器から温度の設定を変更したときに、適切なメッセージが認識できるため、制御可能な範囲を知ることで快適性を追求することができる。【解決手段】空調制御システムにおいて、温度設定器は、設定値入力手段と設定値送信手段と、設定値入力にかかる情報を表示する制御情報表示手段とを備え、空調制御装置が追従運転モードで制御しているときに設定値の変更があった場合、その変更を確認するメッセージを前記制御情報表示手段に提示して、確認ボタン操作があった場合に設定値を変更することを特徴とする空調制御システム。 【選択図】  図１
2014009916.tif 000002
【特許請求の範囲】
【請求項１】
上位装置からの設定値および温度設定器からの設定値を入力とし、後優先でその設定値を
新たな設定値として取り込み、この設定値と検出値とが合致するように空調機の運転を制御する空調制御装置を備えた空調制御システムにおいて、
前記温度設定器は、
前記空調機によって空気調和される室内環境に対する設定値入力手段と、
設定値入力がなされたことによる所定の情報を表示する制御情報表示手段と、
この設定値入力手段からの設定値の変更を前記空調制御装置に対し通信にて送信する設定値送信手段と、
前記空調制御装置が現在の操作量の状態手段、および設定値と検出値との偏差に基づいて動作モードを判断した結果を得るモード取得手段とを備え、
追従運転モードで制御しているときに設定値の変更があった場合、その変更を確認するメッセージを前記制御情報表示手段に提示して、確認ボタン操作があった場合に設定値を変更することを特徴とする空調制御システム。
【請求項２】
請求項１の空調制御システムにおいて、
前記空調制御装置はＶＡＶコントローラとＶＡＶユニットで構成されており、
前記追従運転モードは、ＶＡＶのダンパ開度がＦｕｌｌ能力では運転しておらず、かつ当該温度の設定値と検出値とのあいだの偏差が所定の範囲外にある状態であること、
を特徴とする空調制御システム。
【請求項３】
請求項２の空調制御システムにおいて、
前記温度設定器の制御情報表示手段は、Ｆｕｌｌ能力運転モードで制御している最中に設定値の変更があった場合、その変更を無効とすることを前記制御情報表示手段に表示することを特徴とする空調制御システム。
【発明の詳細な説明】
【技術分野】
【０００１】
本発明は空調監視装置等の上位装置からの設定値および個別の設定器からの温度設定値を入力とし、後優先でその設定値を新たな設定値として取り込み、この設定値と検出値とが合致するように空調機の運転を制御する空調制御装置を備えた空調制御システムに関するものである。
【背景技術】
【０００２】
この種の空調制御システムとして、図１に概要を示すシステムを考えている。
同図において、１は空調監視装置、２は中央空調制御装置、３は空調機、４は分散された個別居室に対するコントローラ（本例ではＶＡＶコントローラを示す）、５は居室を空調するための操作ユニット（本例ではＶＡＶユニット）から構成される。各システム構成機器は相互に、イーサネット（登録商標）またはＬＯＮ（登録商標）などのネットワークで通信される。
【０００３】
各居室７においては、冷風または暖風の吹き出し口８、温度検出器９が備えられ、さらに居室の温度を設定するための温度設定器５０が備えられ、それらは有線または無線の通信によってコントローラ４に接続される。
【０００４】
さて従来は、空調の温度設定値の変更は後優先が基本であり、設定値と検出値とが合致するように空調機の運転を制御している最中は温度設定器からの変更を拒否する手段を備えたシステムが提案されている（特許文献１）。
そこでは、さらに、温度設定器からの設定値の変更が現在の制御方向と比較して、制御の方向と同じ（さらに制御操作を強める）方向の場合は設定値の変更は却下するが、制御の方向と逆の（制御操作を緩める）方向への設定値の変更は許可する発明も示されている。
【先行技術文献】
【特許文献】
【０００５】
【特許文献１】特許第３１６３４７５号公報
【発明の概要】
【発明が解決しようとする課題】
【０００６】
そもそも、空調の温度制御装置は、プロセス制御や製造設備の調節計のように調節計が出力している操作量の状態を温度設定器に提示する機能はない。空調設備の温度制御では、居住者はもとより建物管理者でも、コントローラが出している出力が上限や下限に到達しているか否かを認識することはないのである。しかるに、建物の設計としても年間を通して極端に暑い条件や寒い条件に対応できるような過剰な空調設備は採用されないので、このような設計上のメカニズムを認識していない者（居住者など）に温度を指示する権限が与えられているという空調特有の問題がある。そのため、端的に言えば、設定を変更する際に、現在の制御状況が把握できないため、設定は変更できてしまったとしても、実際は変更したように制御が動作しないため、居住者の不満が出てしまうことがある。
【０００７】
そこで、居住者が温度を指示（設定変更）する操作器に、出力（操作量ＭＶ）の上下限状態に基づいて、操作の有効・無効を提示し、無効である場合は操作を却下することに加えて、あくまでも設定値の変更を希望する場合に確認の上で変更する手段を提供することで、居住者による無駄で不適切な設定変更を防ぐことを本発明の解決すべき課題とする。
【課題を解決するための手段】
【０００８】
本発明は、上位装置からの設定値および温度設定器からの設定値を入力とし、後優先でその設定値を新たな設定値として取り込み、この設定値と検出値とが合致するように空調機の運転を制御する空調制御装置を備えた空調制御システムにおいて、
前記温度設定器は、前記空調機によって空気調和される室内環境に対する設定値入力手段と、設定値入力がなされたことによる所定の情報を表示する制御情報表示手段と、
この設定値入力手段からの設定値の変更を前記空調制御装置に対し通信にて送信する設定値送信手段と、前記空調制御装置が現在の操作量の状態手段、および設定値と検出値との偏差に基づいて動作モードを判断した結果を得るモード取得手段とを備え、
追従運転モードで制御しているときに設定値の変更があった場合、その変更を確認するメッセージを前記制御情報表示手段に提示して、確認ボタン操作があった場合に設定値を変更することを特徴とする空調制御システムである。
【０００９】
また、本発明は、前記空調制御装置はＶＡＶコントローラとＶＡＶユニットで構成されており、前記追従運転モードは、ＶＡＶのダンパ開度がＦｕｌｌ能力では運転しておらず、かつ当該温度の設定値と検出値とのあいだの偏差が所定の範囲外にある状態であること、を特徴とする空調制御システムである。
さらに、
前記温度設定器の制御情報表示手段は、Ｆｕｌｌ能力運転モードで制御している最中に設定値の変更があった場合、その変更を無効とすることを前記制御情報表示手段に表示することを特徴とする空調制御システムである。
【発明の効果】
【００１０】
このように、空調の知識が乏しい居住者等であっても、温度設定器から温度の設定を変更したときに、適切なメッセージが認識できるため、制御可能な範囲を知ることで快適性を追求することができ、また過剰な温度設定を防ぎ省エネルギーにも資することができる。
【図面の簡単な説明】
【００１１】
【図１】本発明の一実施形態の空調制御システム構成図
【図２】本発明にかかる制御状態のタイムチャート例
【図３】本発明にかかる温度設定器の正面図
【図４】本発明の処理フロー
【発明を実施するための形態】
【００１２】
本発明の実施の形態に係る空調システムは図１に示すが、先に各構成機器については述べたので、ここではその説明は省略する。
【００１３】
まず、空調方式は大規模設備の場合には、中央熱源方式が一般的である。中央に位置する空調機３でボイラ（図外）や冷凍機（図外）を備える。ボイラによって温水を作り、その温水をコイルに流し，そのコイルに取り込んだ外気を送ることで温風を作り，その温風を送風機によって施設全体に送り出して暖房する。逆に冷風を作る場合は，冷凍機で冷水を作り，その冷水をコイルに流し，外気を取り込んでコイルにあてることで冷風を作り，その冷風を送風機によって施設全体に送り出して冷房する。
【００１４】
このような中央熱源方式において、分散された居室に対応する個別のコントローラ４および操作ユニット５に対して、生成した温風または冷風を送風する方式を全空気方式と呼ぶ、これをもって本発明の実施例として、以下の説明を進める。
ただし，中央熱源方式でも，ボイラで温水を作り，圧縮機で冷水を作り，それらを直接温水コイル，冷水コイルを通して施設全体へと送り出し，各階・各室，各部分にあるコントローラ４・ユニット５の中で温風，冷風をつくるタイプもある。この場合，水方式と呼ばれ、その代表例はファンコイルユニット方式と知られている。本発明はこの水方式にも応用は可能である。
なお、小規模の場合には、空調制御装置２および空調機３中央のもののみで掌るタイプもある。
【００１５】
次に、空調の制御状態を例示するために、図２により説明する。図２では時間が横軸にとられており、縦軸スケールに温度設定値１０、室内温度２０、および空調機３が冷水をコイルに送るための冷水弁開度３０のトレンドを示す。図２Ａでは、設定変更が当初あって温度設定値１０がステップ状に下降したため、冷水弁開度３０はＭａｘ１００％まで上昇して空調機３の冷水送出の（インバータが）Ｆｕｌｌ能力に達する。一方室内温度２０は相当遅れて温度設定値１０へ追いつこうとしていることがわかる。すなわち、設定変更から追従運転を経過して、Ｆｕｌｌ能力運転中に移行している。
【００１６】
次に、図２Ｂでは、比較的早く追随できた状態を示していて、そこでは、同様に温度設定値１０の変更後、一瞬Ｆｕｌｌ能力運転を経過したが、じきに冷水弁開度３０はＭａｘ１００％から減少する。その後温度設定値１０と室内温度２０の偏差が相当ある一定期間追従運転を行なった後、温度設定値１０と室内温度２０の偏差が微小な通常運転に入っていることがわかる。
【００１７】
図２にかかる例は、中央の空調機３の冷水弁開度を操作量（ＭＶ）として説明したが、個別のＶＡＶユニットのダンパ開度に置き換えて考えることでも良い。
図１を参照して述べれば、ＶＡＶ制御システムとは、空調機２より給気ダクト(太矢印の空気流れ)を介して各部へ空気の供給を行なうものであり、各空調対象部位である居室の空気吹き出し口８に可変給気量調節ユニット（ＶＡＶユニット）５を設け、このＶＡＶユニットのダンパ開度を温度検出器９からの室温に応じてＶＡＶコントローラ４で制御するものである。したがって、当該ダンパ開度がＭａｘまたはＭｉｎのリミットに達すれば、上記例と同じくＦｕｌｌ能力運転状態に移行することがあるのである。
【実施例】
【００１８】
次に、具体的な例により本発明の動作を説明する。
表１に、本発明にかかる３つの運転モードを示す。
【００１９】
【表１】
2014009916.tif 000003
【００２０】
中央空調制御装置２またはＶＡＶコントローラ４が状態量を見て判断するものであって、
空調機３またはＶＡＶユニット５の出力する操作量（ＭＶ）が上下限に達している場合に、「Ｆｕｌｌ能力で運転している」と捉える。
さらに、温度設定値（ＳＰ）と温度検出値（ＰＶ）の偏差が所定の範囲に入っている場合に、ＰＶが「設定値に追従している」と捉える。
その二つの判断結果に基づいて、３つのモードが定まる。
（１）      
Ｆｕｌｌ能力運転モード＝Ｆｕｌｌ能力で運転している
（２）      
通常運転モード        ＝Ｆｕｌｌ能力で運転しておらず、かつ設定値に追従している
（３）      
追従運転モード        ＝Ｆｕｌｌ能力で運転しておらず、かつ設定値に追従していない
【００２１】
次に、各モードでの処理概要について、温度設定器５０での動作を説明するため図３を参照する。
図３Ａは従来と同じ温度設定器の正面パネルを示す。５１はＬＣＤなどの制御情報表示部である。５２，５３は温度設定値の変更（増加、減少）ボタンである。
図３Ｂは本発明にかかるもので、さらに制御情報表示部５１に各種情報の提示及び操作にかかるメッセージ表示部６０を備え、操作ボタンに確定ボタン５４とキャンセルボタン５５を備える。
（１）      
Ｆｕｌｌ能力運転モードでは、温度設定値が変更されても操作量（ＭＶ）をこれ以上変えることはできないので、設定値の変更を却下する。ただし、その旨の制御情報をメッセージ表示部６０に提供することもよい。
（２）       通常運転モードでは、温度設定値の変更は有効であるので、そのまま変更を受け付ける。
（３）       追従運転モードでは、温度設定値の変更があったら警告メッセージをメッセージ表示部６０に表示する。それで「確定ボタン」５４が押されたら、設定値を変更する。
「キャンセルボタン」が押されたら設定値は変更しない。
【００２２】
さらに、本発明の処理フローを図４を参照しながら説明する。
温度設定器５０のプログラムは、温度設定値の変更入力を待つ（図４中のステップＳ０１）。
本発明にかかる機能が有効にされている場合に下のステップに移行する（Ｓ０２）。
【００２３】
ここで、ＶＡＶコントローラ４と通信して、本システムがＦｕｌｌ能力運転しているかどうかを問い合わせる（Ｓ０３）。そうであれば、Ｆｕｌｌ能力運転モード（Ｓ１０）へ移行し、その旨制御情報を提供し（Ｓ１１），さらに設定値の変更を却下する（Ｓ１２）。
【００２４】
次に、Ｆｕｌｌ能力運転していなかった場合は、またＶＡＶコントローラ４と通信して、
温度検出値（ＰＶ）が温度設定値（ＳＰ）に追従しているかどうか問い合わせる（Ｓ０４）。追従している場合は、通常運転モードになり（Ｓ２０），設定値変更を受け入れ処理する（Ｓ２１）。
【００２５】
また、温度検出値（ＰＶ）が温度設定値（ＳＰ）に追従していなかった場合は、追従運転モードになり（Ｓ３０）、警告メッセージをメッセージ表示部６０に表示する（Ｓ３１）。それで「確定ボタン」５４が押されたかどうかチェックする（Ｓ３２）、押された場合は設定値を変更する（Ｓ３３）。「キャンセルボタン」が押されたら設定値は変更しないようにＳ１２へジャンプし設定値変更は却下する。
【００２６】
本発明は実施例を元に説明したが、本発明の範囲は本実施例に限定されるものではなく、先に述べたファンコイルユニット方式、ならびに各種空調の方式（セントラル空調、ビルマルチ空調など）にも有効であり、その範囲は及ぶものと解される。
【図１】
2014009916.tif 000004
【図２】
2014009916.tif 000005
【図３】
2014009916.tif 000006
【図４】
2014009916.tif 000007